(57)【特許請求の範囲】
【請求項１】
外部制御装置の状態表示を行う表示エリア内に、前記外部制御装置への指示入力操作を受ける入力エリアが分散して配置されたプログラマブル表示器であって、
画面の一部の領域を拡大した部分拡大表示画面を元の画面から切り替えて表示する際に、前記部分拡大表示画面の周縁部を、非拡大の画面とは異なる表示方式で表示させる拡大表示通知手段を有することを特徴とするプログラマブル表示器。
【請求項２】
前記拡大表示通知手段は、前記部分拡大表示画面の枠部の色の変更、該枠部の描画線の点滅及び該枠部上での文字列の流れによるアニメーション表示の少なくともいずれかを行うことを特徴とする請求項１に記載のプログラマブル表示器。
【請求項３】
前記拡大表示通知手段は、前記部分拡大表示画面において非表示となっている残りの一部の領域が存在する方向を示すアイコンを、前記部分拡大表示画面上に透過表示することを特徴とする請求項１に記載のプログラマブル表示器。
【発明の詳細な説明】
【技術分野】
【０００１】
本発明は、外部制御装置の状態表示及び外部制御装置への指示入力を受けるプログラマブル表示器に関する。
【背景技術】
【０００２】
従来の拡大表示モード識別方式は、スクロールバーの有無により操作者が動作状況を識別できるように構成されており、拡大表示されている領域の位置に応じて右、下部分にスクロールバーを表示し、スクロールバーを操作することにより、表示領域を移動させるように動作する（例えば、特許文献１参照。）。
【０００３】
また、表示画面の外周部の描画方式を変更する従来の方式は、予め撮像対象を定義する作業を実施の上、撮像対象が撮像可能領域を超えた際に、操作者に対してアラームを報知するように構成されており、撮像領域を表示している画面の枠を点滅させて操作者に報知するように動作する（例えば、特許文献２参照。）。
【０００４】
さらにまた、表示画面の外周部の描画方式を変更する従来の他の方式は、表示領域が現画像より完全に逸脱してしまった際にのみ、現画像の位置関係を操作者に報知するように構成されており、現画像が存在する方向の枠のみ太線表示し、復旧を誘導するように動作する（例えば、特許文献３参照。）。
【先行技術文献】
【特許文献】
【０００５】
【特許文献１】特開２０１０−２３１２９１号公報（００１６段落、第６図）
【特許文献２】特開２００７−２５１７５６号公報（００２７段落、第１図）
【特許文献３】特開２００８−１６９００号公報（００３７段落、第１図）
【発明の概要】
【発明が解決しようとする課題】
【０００６】
しかしながら、上記のような従来の拡大表示モード識別方式では、操作の対象であるスクロールバーに近接して、拡大されたスイッチが配置されており、入力領域が隣接している。したがって、操作間違いを抑制する目的で拡大表示しているにも関わらずに、操作間違いが発生する可能性がある。
【０００７】
また、スクロールバー操作を許容するだけの一定の表示領域を設ける必要があり、自由に表示可能な面積が減少してしまう。
【０００８】
さらにまた、拡大時にのみ、スクロールバーを操作するという手順が付加されるため、入力、操作方法に一貫性を持たすことができない。
【０００９】
また、表示画面の外周部の描画方式を変更する従来の方法では、アラーム報知機能の実行に先立ち、予め撮像可能領域内に撮像対象を定義する作業を逐次必要とするため、領域を定義する作業時の拡大表示モード識別には活用できない。
【００１０】
さらにまた、表示画面の外周部の描画方式を変更する従来の他の方法では、表示領域が現画像から部分的にはみ出した場合は想定しておらず、部分的にはみ出した場合には機能しない。
【００１１】
本発明は、上記に鑑みてなされたものであって、拡大表示時に操作者に対して、表示を拡大していることを明確に報知するプログラマブル表示器を得ることを目的とする。
【課題を解決するための手段】
【００１２】
上述した課題を解決し、目的を達成するために、本発明は、外部制御装置の状態表示を行う表示エリア内に、外部制御装置への指示入力操作を受ける入力エリアが分散して配置されたプログラマブル表示器であって、画面の一部の領域を拡大して表示する際に、部分拡大表示画面の周縁部を、非拡大の画面とは異なる表示方式で表示させる拡大表示通知手段を有することを特徴とする。
【発明の効果】
【００１３】
本発明によれば、操作者が意図せずして拡大表示してしまった場合や、拡大表示時に改めて表示画面の状況を把握しようとする場合に、現在表示されている画面が全画面表示であるのか部分拡大表示であるのかを容易に判別することが可能であるため、動作状況の認識不足による不用意な操作を抑制できる。
【図面の簡単な説明】
【００１４】
【図１】図１は、本発明にかかるプログラマブル表示器の実施の形態１の全体構成を示す図である。
【図２】図２は、表示部に表示される画面の一例を示す図である。
【図３】図３は、実施の形態１のプログラマブル表示器の動作の一例を示すフローチャートである。
【図４−１】図４−１は、実施の形態１のプログラマブル表示器の通常表示時の表示画面の一例を示す図である。
【図４−２】図４−２は、実施の形態１のプログラマブル表示器の部分拡大表示画面の一例を示す図である。
【図５】図５は、本発明にかかるプログラマブル表示器の実施の形態２の動作の一例を示す図である。
【図６】図６は、表示されていない領域が存在する方向を示すアイコンを透過表示した部分拡大表示画面を模式的に示す図である。
【発明を実施するための形態】
【００１５】
以下に、本発明にかかるプログラマブル表示器の実施の形態を図面に基づいて詳細に説明する。なお、この実施の形態によりこの発明が限定されるものではない。
【００１６】
実施の形態１．
図１は、本発明にかかるプログラマブル表示器の実施の形態１の全体構成を示す図である。プログラマブル表示器１００は、入力部１１、表示部１２、外部制御装置接続インタフェース（Ｉ／Ｆ）１３、統括処理部２０、表示生成部２１、データ記憶部２２を有する。
【００１７】
入力部１１と表示部１２とは重ね合わせて設置されており、いわゆるタッチパネルをなしている。表示部１２は、情報を表示する機能部であり、液晶パネルや有機ＥＬパネルなどを適用可能である。入力部１１は、表示部１２の表示領域内においてタッチ操作がなされた箇所の位置情報を検出する。外部制御装置接続Ｉ／Ｆ１３は、外部制御装置１０２を接続するためのインタフェースであり、ＵＳＢコネクタやＲＳ−２３２Ｃコネクタなどである。表示生成部２１は、選択された画面データ番号に基づきデータ記憶部２２からデータを抽出して画面データ番号に対応した画面を生成する。データ記憶部２２は、画面に配置される複数の種類の部品の各々のデータ（部品データ）、１以上の部品含んだ画面のデータ（画面データ）を記憶する。なお、画面データには、部品のレイアウトを示す情報に加え、画面のプロパティを示す情報が含まれる。遷移情報を画面のプロパティに設定しておくことにより、入力部１１における操作や外部制御装置１０２からの指示によらず画面を遷移させることも可能である。例えば、タイトル画面を一定時間表示した後に自動的にメニュー画面へ遷移するといった動作が可能である。
【００１８】
図２は、表示部１２に表示される画面の一例を示す図である。表示部１２の表示エリア内には複数の部品が分散配置されて表示される。表示部１２に表示される部品の中で特定の種類の部品（スイッチ３０など）上の領域でのみ入力部１１が有効となり、部品に対するタッチ操作が検出される。すなわち、入力部１１は、表示部１２の表示エリア内で特定の部品が配置されている部分のみを入力エリアとして機能させる。これにより、外部制御装置１０２の状態表示を行う表示部１２の表示エリア内には、外部制御装置１０２への指示入力操作を受ける入力エリアが分散して配置される。
【００１９】
図３は、プログラマブル表示器１００の動作の一例を示すフローチャートである。図４は、プログラマブル表示器１００において枠色を変化させる状態を模式的に示す図である。図４−１は、通常表示時の画面であり、図４−２は拡大表示モード時に枠色を変化させた部分拡大表示画面の一例である。図４−１に示すように、表示画面には、部品３０１〜３０４が配置されている。図４−２は、図４−１に示す拡大指定領域１４を拡大表示した状態である。拡大指定領域１４に含まれていない部品３０４は、部分拡大表示画面では非表示となっている。また、拡大指定領域１４に一部のみが含まれる部品３０３は、部分拡大表示画面では部分的に表示されている。
【００２０】
入力部１１を介して操作者からの指示入力を受けたり、外部制御装置接続Ｉ／Ｆ１３を介して外部制御装置１０２から画面データの指定を受けたりした場合、統括処理部２０は、対応する画面データをデータ記憶部２２から読み出す（ステップＳ１０１）。操作者からの指示入力や外部制御装置１０２からの指定が拡大表示であった場合（ステップＳ１０２／Ｙｅｓ）、表示生成部２１は、読み出された画面の部分拡大表示画面のデータを生成する（ステップＳ１０３）。例えば、図４−１における拡大指定領域１４を拡大表示する指示入力や指定があった場合には、表示生成部２１は、図４−２のように拡大指定領域１４のみを表示する部分拡大表示画面のデータを生成する。さらに、表示生成部２１は、生成した部分拡大表示画面の枠色を変化させる（ステップＳ１０４）。表示生成部２１は。枠色を変化させた部分拡大表示画面を表示部１２において表示させる（ステップＳ１０５）。このようにして、表示生成部２１は、部分拡大表示画面の周縁部を、画面とは異なる表示設定で表示部１２に表示させる拡大表示通知手段として機能する。
【００２１】
操作者からの指示入力や外部制御装置１０２からの指定が拡大表示ではなかった場合（ステップＳ１０２／Ｎｏ）、表示生成部２１は。データ記憶部２２から読み出された画面を表示部１２において表示させる（ステップＳ１０７）。
【００２２】
画面の表示を行った後、画面遷移の指示があるまで画面を表示し続け（ステップＳ１０６／Ｎｏ）、画面遷移の指示があれば（ステップＳ１０６／Ｙｅｓ）、ステップＳ１０１に戻る。
【００２３】
なお、表示生成部２１は、部分拡大表示画面の枠色を変化させることに加え、部分拡大表示画面の枠の上に「拡大表示されています」などのメッセージ（文字列）を表示するようにし、このメッセージを点滅させたる流れ表示させるなどしてアニメーション化することで、拡大表示中であることを操作者が識別可能となるようにしても良い。
【００２４】
本実施の形態によれば、表示部に表示されている画面の動作状況を容易に識別することが可能であるため、操作者が意図せずに拡大表示してしまった場合や、拡大表示時に他の割り込み作業などがあって、改めて表示画面の状況を把握する場合に不用意な操作を抑制することが可能となる。
【００２５】
さらに、描画のみで操作者に動作モードを報知することが可能であるため、入力領域が隣接せず、拡大表示による操作性向上を阻害しない。また、操作手順に一貫性を持たせることができる。
【００２６】
本実施の形態にかかるプログラマブル表示器は、情報量の多い表示が必要な大規模システムの表示端末として用いられる場合や、表示部に高解像度のモニタデバイスを適用する場合に適している。高解像度のモニタデバイスを適用する場合に適しているのは、単位面積に多数の部品を表示可能な高解像度のモニタデバイスを適用する場合でも、部品の押し間違いを発生しにくくできるためである。
【００２７】
実施の形態２．
実施の形態２のプログラマブル表示器の構成は、実施の形態１と同様である。図５は、本発明にかかるプログラマブル表示器の実施の形態２の動作の一例を示す図である。図５に示すステップＳ２０１〜Ｓ２０３の動作は、図３に示した実施の形態１のプログラマブル表示器の動作のステップＳ１０３の代わりとなる動作である。図６は、表示されていない領域が存在する方向を示すアイコンを透過表示した部分拡大表示画面を模式的に示す図である。
【００２８】
実施の形態１と同様に、表示生成部２１は、読み出された画面の部分拡大表示画面を生成する（ステップＳ２０１）。拡大表示時に統括処理部２０は、非表示領域の存在する方向を算出する（ステップＳ２０２）。さらに、表示生成部２１は、非表示領域が存在する方向を示すアイコン３０５を表示部１２上に透過表示させるように画面を生成する（ステップＳ２０３）。
【００２９】
なお、部分拡大表示画面上でアイコン３０５を押下することにより、押下されたアイコン３０５が存在を表している非表示領域を表示するように表示領域を移動させるようにしても良い。
【００３０】
本実施の形態によれば、拡大表示時に非表示の領域を認識することが容易であるため、表示領域を移動する際の操作性を向上させることができる。
【符号の説明】
【００３１】
１１  入力部
１２  表示部
１３  外部制御装置接続Ｉ／Ｆ
２０  統括処理部
２１  表示生成部
２２  データ記憶部
１００  プログラマブル表示器
１０２  外部制御装置
【図１】
0005586495.tif 000002
【図２】
0005586495.tif 000003
【図３】
0005586495.tif 000004
【図４−１】
0005586495.tif 000005
【図４−２】
0005586495.tif 000006
【図５】
0005586495.tif 000007
【図６】
0005586495.tif 000008